(57)【要約】      （修正有）【課題】ストレージ装置の効率的な冷却を実現する冷却方法を実現する。【解決手段】複数の記憶媒体を冷却する第１の外気の筐体内における通り道となり、筐体の上端部で終端する第１の冷却通路と、電源部を冷却する第２の外気の筐体内における通り道となり、筐体の上端部で終端する第２の冷却通路と、第１の冷却通路の終端から直下に位置する記憶媒体を臨むように筐体の上端部に設けられ、第１の冷却通路に第１の外気を引き込み、複数の記憶媒体を冷却した第１の外気を筐体外に排出するファン５００と、第１の外気と前記第２の外気が混合しないように、第１の冷却通路と第２の冷却通路とを仕切る仕切体と、を備え、ファンは、第１の冷却通路の直下に位置する記憶媒体の縁辺に対して傾斜するように筐体に支持されてなる。【選択図】図７
2008047249.tif 000002
【特許請求の範囲】
【請求項１】
複数の記憶媒体をアレイ状に収納する筐体と、前記記憶媒体の駆動回路に電源を供給する電源部と、を備え、前記筐体の接地面側の内部に前記電源部を収納し、当該電源部上の前記筐体内に前記複数の記憶媒体を収納してなるストレージ装置において、
複数の記憶媒体を冷却する第１の外気の前記筐体内における通り道となり、前記筐体の上端部で終端する第１の冷却通路と、
前記電源部を冷却する第２の外気の前記筐体内における通り道となり、前記筐体の上端部で終端する第２の冷却通路と、
前記第１の冷却通路の終端から直下に位置する前記記憶媒体を臨むように前記筐体の上端部に設けられ、前記第１の冷却通路に前記第１の外気を引き込み、前記複数の記憶媒体を冷却した当該第１の外気を前記筐体外に排出するファンと、
前記第１の外気と前記第２の外気が混合しないように、前記第１の冷却通路と前記第２の冷却通路とを仕切る仕切体と、
を備え、
前記ファンは、前記第１の冷却通路の直下に位置する前記記憶媒体の縁辺に対して傾斜するように前記筐体に支持されてなる、ストレージ装置。
【請求項２】
前記筐体の上端部に前記ファンを覆うダクトを設け、このダクトは前記ファンから発生する作動音を緩衝するように構成されてなる請求項１記載のストレージ装置。
【請求項３】
前記ダクトが、前記筐体に着脱自在に取り付け可能に構成される請求項２記載のストレージ装置。
【請求項４】
前記ダクトは前記ファンを通過した外気を前記筐体外に排出するための排気通路を備え、当該排気通路に前記作動音に対する緩衝材が敷設されている、請求項２記載のストレージ装置。
【請求項５】
前記ダクトは前記ファンを通過した外気を、前記排気通路を介して前記筐体外に排出させる過程で、前記外気を前記緩衝材からなる複数の緩衝面間で反射させる、請求項４記載のストレージ装置。
【請求項６】
前記ファンは前記電源部を冷却した第２の外気を前記筐体外に排出する、請求項１記載のストレージ装置。
【請求項７】
前記第２の外気を前記第２の冷却通路に引き込む、他のファンが設けられてなる、請求項１記載のストレージ装置。
【請求項８】
前記仕切体の正面及び背面に複数の開口が設けられている、請求項１記載のストレージ装置。
【請求項９】
前記仕切体が前記筐体の上端部まで前記第１の冷却通路と前記第２の冷却通路とを仕切り、前記ファンが当該第２の冷却通路の端部に臨み、前記第２の外気を前記筐体外に排出するよう構成されている請求項１記載のストレージ装置。
【請求項１０】
前記複数の記憶媒体は前記仕切体の正面及び背面側にそれぞれ位置し、前記第１の外気は前記正面及び背面の開口を介して、当該正面と背面との間の前記第１の冷却通路に導入される請求項８記載のストレージ装置。
【請求項１１】
前記ファンの前記第１の冷却通路の中心側が前記第１の冷却通路の側面側よりも前記第１の外気の排出方向になるように前記筐体に支持されてなる、請求項１記載のストレージ装置。
【発明の詳細な説明】
【技術分野】
【０００１】
本発明は、筐体内に多数の記憶媒体を収容した、高密度実装型のストレージ装置に係わり、特に、筐体内に於ける冷却性能を向上するための構造を備えたストレージ装置に関する。
【背景技術】
【０００２】
一般に、電子装置において、ハードディスクドライブに供給される電力の一部は、ハードディスクの回転による摩擦熱や電子回路部の抵抗熱に変換される。複数のハードディスクドライブをアレイ状に配置して備えるストレージ装置は、このハードディスクドライブが高密度に搭載されているほど、発熱量が大きくなる。そこで、ストレージ装置を稼動している間は、ストレージ装置内のハードディスクドライブや電子回路部を冷却する必要がある。
【０００３】
近年のストレージ装置においては、例えば、ＲＡＩＤ（Redundant Array of Independent Disks)方式による大型のストレージ装置に代表されるように、その記憶容量が増大する傾向にある。即ち、ストレージ装置に搭載されるハードディスクドライブの総数が増加、即ち、ハードディスクドライブの実装密度が増加してきている。
【０００４】
この高密度実装によって、ストレージ装置の消費電力及び発熱量も増加の一途を辿っている。発熱に対する対策として、ストレージ装置内に外気を導入するためのファンが大型化されてはきているが、ハードディスクドライブの高密度実装により、ストレージ装置内部における外気の循環に対する抵抗が大きく、ストレージ装置内を十分冷却する効果が達成されていない。このため、ファンを更に大型化せざるを得ず、これによりファンから発生する騒音が大きく、かつファンを稼動させるための電力消費が増大化している。
【０００５】
従来、この種の冷却システムを備えた磁気ディスク装置として、特開平８−２７３３４５号公報に記載のように、情報を磁気的に記憶する複数台の磁気ディスクドライブと、該磁気ディスクドライブを制御する制御回路部が搭載された制御回路基板と、前記磁気ディスクドライブと制御回路基板を空冷で冷却する送風手段とを、一つの装置筐体内に収納して成る磁気ディスク装置において、前記磁気ディスクドライブ、制御回路基板及び送風手段をフレーム内に保持して一つのディスクボックスを構成するとともに、該ディスクボックスを一つの装置筐体内に複数台収納したことを特徴とするものが提案されている。
【０００６】
また、特願２００６−８３４４５号には、複数の冷却領域と、各冷却領域に外気を誘導し、次いで、外気を筐体の排出領域から当該筐体外部に排出する外気導入・排出装置と、前記各冷却領域を通過した外気を排出領域まで導く外気誘導領域とを備え、一つの冷却領域を通過した前記外気が他の冷却領域を通過した前記外気と混合しないように、前記外気誘導領域を構成したストレージ装置が紹介されている。
【特許文献１】特開平８−２７３３４５号公報
【非特許文献１】特願２００６−８３４４５号
【発明の開示】
【発明が解決しようとする課題】
【０００７】
しかしながら、特開平８−２７３３４５号公報においては、ディスクボックス毎に送風手段を設けてディスクユニット毎に冷却を行うことは提案されていても、排気を効率化させることやファンの小型化については配慮がない。
【０００８】
また、特願２００６−８３４４５号においては、ストレージ装置に複数の冷却領域を設け、一の冷却領域を通過した外気が他の冷却領域を通過した外気と混合しないように外気誘導領域を構成し、ストレージ装置上部に設置され、ストレージ装置を冷却するファンが排気する外気を減らすことにより、かかるファンから発生する騒音や冷却に要する電力消費を抑制することが提案されていた。
【０００９】
しかしながら、ストレージ装置の高密度実装が進み、ストレージ装置に実装されるハードディスクボックス間に設けられる冷却通路の開口面積が狭くなった結果、ストレージ装置の筐体上部に設置されたファンが冷却通路に面すことができないいわゆるデッドスペースができ、ファンの排気風量のうち一部の風量しか生かすことができないためにファンの冷却効率が低減することについては考慮がなされていなかった。また、ストレージ装置は前後面に装置が実装される高密度実装がなされることから、主にストレージ装置上面に排気が出される。ストレージ装置上面に排気するために設置されたファンは天井との間に障害物がないことからファンから発生する騒音がそのまま天井に反射し反射音が生じるが、排気を妨げずにかかる反射音を抑制することについては考慮がなされていなかった。
【００１０】
本発明はかかる課題に鑑みてなされたものであり、その目的とするところは、高密度実装されたストレージ装置においてもファンの冷却効率を保ち、かつストレージ装置を冷却する際のファンから発生する騒音のうち特に天井からの反射音を抑制することにある。
【課題を解決するための手段】
【００１１】
本発明は、前記目的を達成するために、複数の記憶媒体をアレイ状に収納する筐体と、前記記憶媒体の駆動回路に電源を供給する電源部と、を備え、前記筐体の接地面側の内部に前記電源部を収納し、当該電源部上の前記筐体内に前記複数の記憶媒体を収納してなるストレージ装置において、複数の記憶媒体を冷却する第１の外気の前記筐体内における通り道となり、前記筐体の上端部で終端する第１の冷却通路と、前記電源部を冷却する第２の外気の前記筐体内における通り道となり、前記筐体の上端部で終端する第２の冷却通路と、前記第１の冷却通路の終端から直下に位置する前記記憶媒体を臨むように前記筐体の上端部に設けられ、前記第１の冷却通路に前記第１の外気を引き込み、前記複数の記憶媒体を冷却した当該第１の外気を前記筐体外に排出するファンと、前記第１の外気と前記第２の外気が混合しないように、前記第１の冷却通路と前記第２の冷却通路とを仕切る仕切体と、を備え、前記ファンは、前記第１の冷却通路の直下に位置する前記記憶媒体の縁辺に対して傾斜するように前記筐体に支持されてなる、ストレージ装置及び前記筐体の上端部に前記ファンを覆うダクトを設け、このダクトは前記ファンから発生する作動音を緩衝するように構成されてなる請求項１記載のストレージ装置を提供することを特徴とするものである。
【発明の効果】
【００１２】
本発明によれば、高密度実装されたストレージ装置においてもファンの冷却効率を保ち、かつストレージ装置を冷却する際のファンから発生する騒音のうち特に天井からの反射音を抑制することができる。
【発明を実施するための最良の形態】
【００１３】
以下、各図を参照しながら本発明の実施形態について説明する。図１は、ストレージ装置全体を示す斜視図である。図１に示す通り、ストレージ装置１００は、大型の矩形を成す筐体２００内に、筐体の接地面側から筐体の頭頂側に向かって、順に、ＤＣ電源６００、バッテリ８００、ＨＤＤ（ハードディスク）ボックス３００が収容されて構成されている。かかるストレージ装置は、図示しないストレージ装置に接続されたディスク制御装置により制御される。
【００１４】
図示しない上位装置（例えば、ホスト装置）が、図１のストレージ装置に接続され、上位装置によってアクセスされるデータがＨＤＤボックス３００内のハードディスクドライブに保存されている。各ＨＤＤボックス３００には、複数のハードディスクドライブ３００Ａがアレイ状に配置されている。
【００１５】
図２は、ストレージ装置１００の筐体２００に、各ユニットが収容される状態及び各ユニットを流れる風の方向を示した図である。まず、各ユニットが収容される状態を説明するが、ストレージ装置１００の上段には、既述のＨＤＤボックス３００が収容されている。ＨＤＤボックス３００内のハードディスクドライブ３００ＡはＨＤＤボックス３００に対して抜き差し可能に収容されている。符号５００は、ストレージ装置１００の上端面にある、電動ファン５００である。このファン５００は外気を筐体外からＨＤＤボックス３００を経由させて筐体中心側に導き、この外気をストレージ装置１００の上端から排気させる。
【００１６】
ＨＤＤボックス３００には、重力方向に８列、鉛直方向に対して直角方向に１６列の合計１２８個のディスクドライブ３１０Ａがアレイ状に搭載されている。なお、複数のフレームを矩形に組み立てて、筐体２００の全体が構成されており、筐体上部にＨＤＤボックス３００が支持され、筐体下段には、ＤＣ電源６００及びバッテリ８００、さらにＡＣボックス７００が収容されている。
【００１７】
筐体２００の下段には、上述の通り、バッテリ８００、ＡＣボックス７００、ＤＣ電源６００が収容され、これらが一体となってストレージ装置１００の電源部４１０Ａを形成する。重量の重い電源部４１０Ａをストレージ装置１００の下段に配置することにより、ストレージ装置１００を接地する際に、ストレージ装置１００を安定させている。電源部４１０Ａの上端面には、外気を筐体２００外から筐体内に引き込む電動ファン４１０が配置されている。この電動ファン４１０は、外気を、電源部４１０Ａを経由させて筐体内に導き、これを筐体２００外に排出する。
【００１８】
ＤＣ電源６００は、交流電力を直流電力に変換し、ディスクドライブ３１０Ａに直流電力を供給する。バッテリ８００は停電時やＤＣ電源６００の異常時等に、ストレージ装置１００の内部の各装置に電力を予備的に供給する予備電源である。ＡＣボックス７００は、ストレージ装置１００に対する交流電力の取り入れ口であり、ブレーカとして機能する。ＡＣボックス７００に取り入れられた交流電力がＤＣ電源６００に供給される。電源部４１０Ａで発生する熱量は、電動ファン４１０によって筐体内に供給された外気によって冷却される。
【００１９】
次に図１及び図２を用いて、各ユニットを流れる風の方向について説明する。ストレージ装置１００の冷却通路は、大きくは二つに分かれ、すなわち、冷却通路は、ＨＤＤボックス３００を冷却する通路部分２１２と、電源部４１０Ａを冷却する通路部分２１４から成る。電動ファン５００は外気２１６を筐体外からＨＤＤボックス３００を経由して筐体内に吸引する。この外気はファン５００によって、排気２１８としてストレージ装置１００外に排出される。外気２１６は筐体２００外から筐体２００内に流れる過程で、ハードディスクドライブの周りを通過して、ハードディスクドライブを冷却する。
【００２０】
図２に示した電動ファン４１０は、外気２２０を筐体２００外から電源部４１０Ａを経由して筐体２００内に吸引し、この外気は、筐体２００内を上昇して、ＨＤＤボックス３００の間に設置される後述する仕切体２１０側面に設けられた冷却通路２１０Ｄを通り、ＨＤＤボックスの側面から排気２２４としてＨＤＤボックス３００筐体２００外に排出される。外気が吸気２１６、そして排気２１８として、筐体２００内から筐体２００外に排出されるまでの冷却通路と、外気が吸気２２０、そして排気２２４として筐体外に排出されるまでの冷却通路とは、それぞれの排出する外気が混合しないように形成されている。即ち、外気２２０がＨＤＤボックス３００冷却用の外気と実質的にならないようにされている。なお、図１及び図２において、外気はストレージ装置１００の正面及び背面からストレージ装置１００内に吸引される。
【００２１】
図３は、この構成を示すための斜視図である。図３には示していないが一対のＨＤＤボックス３００がストレージ装置１００の正面側と背面側からそれぞれストレージ装置１００内に収容される。一対のＨＤＤボックス３００の間には、図３の吸気２２０が筐体内を通過する導入ルートを外気２１６が筐体内を通過する導入ルートから実質的に区別するための、仕切体２１０が配置されている。この仕切体２１０の存在によって、筐体内に於ける外気の導入ルートは図３のようになる。図１及び図２の説明とも一部重複するが、吸気２１６がＨＤＤボックス３００の正面及び背面から、後述する抵抗板３３０に設けられた開口３３０Ａを通じて仕切体２１０内部の空間に入り、ストレージ装置１００の上部にあるファン５００によって、排気２１８として筐体外に排出される。図３において、筐体２００の下段の周囲から吸引された外気２２０は、仕切体２１０の仕切体側面に設けられた外気通路２１０Ｄを通り、図示しないＨＤＤボックス３００の内部に至ることなく、排気２２４となってストレージ装置１００外に排出される。
【００２２】
次に、仕切体２１０の構造の詳細を説明する。仕切体２１０は、平面及び内部が開放された矩形状に形成されている。仕切体２１０の底面は、外気２２０（図１参照）を仕切体２１０内に進入しないようにするために遮蔽されている。仕切体２１０の左右の側面には、筐体２００の下段の周囲から吸引された外気２２０を通すために、仕切体２１０内部からの空気が進入しないように遮断された外気通路２１０Ｄが設けられている。
【００２３】
図３に示すように、仕切体２１０は、底面２１０Ａと、左右の側面２１０Ｃ及び左右の側面に設けられた外気通路２１０Ｄと、仕切体２１０の全体矩形形状を形成するフレーム２１０Ｂとを備えて構成されている。仕切体２１０の正面及び背面には、フレーム２１０Ｂに抵抗板３３０が固定される。この抵抗板３３０は、図示しないＨＤＤボックス３００に面するように固定される。抵抗板３３０には、外気が仕切体２１０内に進めるようにする、複数の開口３３０Ａが形成されている。この開口の数はいずれの抵抗板３３０においても等しく、また開口面積も等しく、また開口の位置も同位置になるように設定されている。
【００２４】
電源部４１０Ａから排出される外気がＨＤＤボックス３００内部を通過する外気と混合しないようにする構造となっているため、ＨＤＤボックス３００内部を通過する空気は、電源部４１０Ａから排出される外気の影響を受けることがない。開口３３０Ａを通過する風の風速Ｑは風量と開口面積との積により求められるから、ＨＤＤボックス３００に面する抵抗板３３０に設けられた開口３３０Ａの面積を全て等しくすれば、風量は一定であるので、風速Ｑはいずれの開口においても等しくなる。開口面積を等しくするのは、ＨＤＤボックス３００部上部に実装されたファン５００からの距離に関係なく、どの開口３３０Ａにおいても風量及び風速を一定にするためである。このようにすることで、ＨＤＤボックス３００内を一定の風速の外気が常に通過することにより、ＨＤＤボックス３００内の温度が均一化され、温度上昇の低減を効率的に図ることができる。
【００２５】
図３に示す外気２１６は開口３３０Ａを介して一定の風速を保ちつつ仕切体２１０内に導かれ、外気２２０は、仕切体２１０内部ではなく、仕切体２１０の左右の側面に設けられた外気通路２１０Ｄを通って筐体内を上昇する。したがって、仕切体２１０によって、吸気２１６が誘導される領域と、吸気２２０が誘導される領域とが分離される。ファン５００は吸気２１６を吸引・排気するのに足りる容量ですみ、図３には図示しないファン４１０は吸気２２０を吸引・排気するのに足りる容量ですむ。
【００２６】
すなわち、本仕切体２１０は上部が開いた箱型に形成され、仕切体２１０の上部にファン５００を設けるとともに、仕切体２１０底部の下方向にもファン４１０を設けて外気を分離する構造を有する。したがって、ファンが稼動する際の騒音が減り、かつ効率的な外気の排気を可能にする。なお、従来は仕切体２１０が無く、吸気２２０は吸気２１６と筐体内部で一緒になり、一緒になった外気をファン５００が纏めて排気していたため、ファン５００が大型化していた。この結果、ファン５００の消費電力及び騒音も大きくなっていた。また、ファンの羽を回転させる軸部分が大きくなると風路を遮るが、ファン５００を小型化することで、流路の面積に応じてファンを設置することができ、またファン５００が風を切るときに生じる風切り音も低減させることができる。
【００２７】
図３に示すように、仕切体２１０の底面２１０Ａは、底面の正面側端部２１１Ａと背面側端部２１１Ｂとから、仕切体２１０の中心に向かった傾斜面２１３Ａと図示されない２１３Ｂが左右の側面のそれぞれに形成されている。さらに、底面２１０Ａの中心２１５Ａから前記傾斜面２１３Ａと２１３Ｂとの図示しない交点２１３Ｃとを結ぶよう稜線２１３Ｄが形成されている。傾斜面２１３Ａ、２１３Ｂと稜線２１３Ｄによって、半三角錐状の凹部２１７が仕切体２１０の中心から左右それぞれの側面に向けて一対形成されている。外気２２０は図３には図示されない、電源部４１０Ａ上端に設けられたファン４１０によって仕切体２１０側に圧送されたのち、仕切体２１０の底面２１０Ａにぶつかり、凹部２１７に沿って仕切体２１０の左右の側面側に誘導される。当該凹部の幅は、凹部が三角錐の形状をしているために、凹部の幅が仕切体２１０の中心から左右の側面に向けて徐々に大きくなる結果、外気２２０は、仕切体２１０の中心から左右の側面側に円滑に誘導される。すなわち、外気２２０は、仕切体２１０の中心から左右それぞれの側面に向けて一対形成された凹部２１７により、仕切体２１０の中心から、左右の側面側に円滑に誘導される。すなわち、仕切体２１０は、ＨＤＤボックス３００が設置されていない方向、つまり側面の方向に電源部４１０Ａからの排気が流れるように凹部を設けた構造を有する。また、傾斜面２１３Ａ、２１３Ｂによって、外気が仕切体の正面側・背面側から中心側に誘導されるようになっている。さらに、かかる外気は、仕切体２１０の側面に設けられた外気通路２１０Ｄを通じて、ＨＤＤボックス３００側面より排出される。この外気の流れは、図３に示されている。
【００２８】
なお、仕切体２１０の側面に設けて外気を通す外気通路２１０Ｄは、図４に示すように、筒状その他の形状の通路を用いてもよい。また、図４に示すように、仕切体２１０は、仕切体２１０の底面に凹部を設けた構造をとらず、電源部４１０Ａ上部に設置された図示されないファン４１０を用いて仕切体２１０側面に設けた外気通路２１０Ｄに外気を導入する構造を用いてもよい。
【００２９】
さらに、図５及び図６を用いて仕切体２１０上部に設置されたファン５００の構造について説明する。仕切体２１０の上部に設置された丸型の複数のファン５００は、ＨＤＤボックス３００の間に設置される仕切体２１０の上部に、仕切体２１０内部の空間である冷却通路に面するように並べて設置される。その際、図６に示すように、ファン５００は、ＨＤＤボックス３００を通過する冷却通路の終端の直下に位置するＨＤＤボックス３００の縁辺に対して傾斜するように筐体２００に支持されるように構成される。
【００３０】
このようにファン５００がストレージ装置内にて傾斜するように設置することができるのは、筐体上部に設けられたファン５００とストレージ装置上端の天井板との間に、筐体を支えるための１インチ角の角パイプ３０１が設置されていることから、角パイプ３０１の厚み分の空間が、ファン５００と筐体の天井板３０３部分との間に存在するため、この空間を利用することができるからである。図７に示す通り、かかる角パイプ３０１の厚みを考慮すると、ＨＤＤボックス３００上端面とファン５００の設置面との最大の傾斜角度は、６度となる。
【００３１】
従来は、ファン５００は、図５に示すように、仕切体２１０の上部に水平に並べて設置されていたが、図５に示すようにファンを設置すると、ファン５００のうち冷却通路に面しない、いわゆるデッドスペースとなる面が生じ、冷却通路に面しないデッドスペース部分を活用することができなかった。図６に示すように、記憶媒体収容部上端面に対し、ファン５００を傾斜して設置することにより、ファン５００の下に空間を確保することができ、ファン５００の全ての面が冷却通路に面することとなるので、ファン５００の面を全て活用して排気を行うことが可能となり、冷却効率が向上する。さらに風の抵抗も減少するため、ファン５００が風を切るときに生じる風切音が減少し、騒音が低減される。さらに、このようにファン５００が傾斜して設置されても、前述したとおり、角パイプ３０１により確保されているファン５００と天井板との間の空間内に、ファン５００が収容されるため、ストレージ装置１００の外形寸法の変更は不要である。
【００３２】
続いて、図８、図９を用いて、ストレージ装置１００上端に設置されるダクト９００について説明する。ダクト９００は、緩衝材を付した部材９０１を複数組み合わせてなり、筐体の上端部に、ファン５００を覆うように設置される。すなわち、緩衝材を付した部材９０１にストレージ装置１００の上端に設置されたファン５００から出される排気を当て、かかる排気を反射させて排気の向きを変更し、天井以外の方向へ排出するように構成される。具体的には、例えば図８又は図９に示すように、緩衝材を付した部材９０１をストレージ装置１００上端の正面、背面及び側面の４辺を囲むようにストレージ装置１００の上端に設置する。さらに、ファン５００からの排気が当たるように、かかる緩衝材を付した部材９０１に、さらに緩衝材を付した第１の部材９０１を設置する。こうして緩衝材を付した部材９０１に当てた排気がストレージ装置１００外に排出されるように、さらに緩衝材を付した第２の部材９０１を設置し、排気をかかる緩衝材を付した第２の部材９０１にあてて、ストレージ装置１００の外に排出する。排気を反射して排出する方向は、一つの方向だけでなく複数の方向でもよい。
【００３３】
ダクト９００の内面の全ては緩衝材を付した部材９０１で構成される。筐体２００の上端に設置されたファン５００からの排気は、かかる緩衝材を付した第１及び第２の部材９０１に当てて反射させ、騒音を低減させながらストレージ装置１００外部へ排出する。その際、ファン５００からの排気が、ダクト９００内に取り付けた緩衝材を付した第１の部材及び第２の部材９０１に少なくとも一度以上当たるように構成して、騒音を低減させる構造とする。
【００３４】
例えば、騒音低減のために緩衝材としてウレタンフォームを付けた部材を用いた場合、１０００ヘルツから２０００ヘルツの高周波数の音源を吸収できるため、ファンの風切音のような高周波の音を吸収する吸音効果を得ることができる。さらに緩衝材の代わりに緩衝材より高価な吸音材を使用することもでき、かかる吸音材を使用する場合、ファン音源の周波数である８００から９００ヘルツの低周波も吸収することができる。あるいは吸音面積を広げ、吸音効率を上げる凹凸構造の緩衝材を取り付けてもより幅の広い周波数の音源を吸収することもできる。
【００３５】
ダクト９００を筐体２００の上端に設置することで、天井への反射音が低減されるため、全体としてストレージ装置から発せられる騒音が低減される。また、本構造によるダクト９００は、排気の方向や排気が反射される方向を自在に変更することができるため、顧客のニーズにあわせて騒音を低減したい方向又は場所の騒音を効果的に低減することができる。また、ダクト９００は着脱自在にストレージ装置１００の筐体上部に設置することができるため、顧客のニーズが変更された場合には、自在に取り外したり、または設置したりすることができる。
【００３６】
以上本実施の形態について説明したが、上記実施例は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００３７】
【図１】ストレージ装置全体を示す斜視図である。
【図２】ストレージ装置１００の筐体２００に、各ユニットが収容される状態及び各ユニットを流れる風の方向を示した図である。
【図３】ストレージ装置の構造を示した図である。
【図４】仕切体のバリエーションを示した図である。
【図５】ファンの構造を示した図である。
【図６】ファンの構造を示した図である。
【図７】傾斜して設置したファンの構造を示す図である。
【図８】ストレージ装置上部に設置するダクトの構造を示す図である。
【図９】ストレージ装置上部に設置するダクトの構造を示す図である。
【符号の説明】
【００３８】
１００ ストレージ装置
２００ 筐体
２１０ 仕切体
２１２、２１４  冷却領域
２１６、２２０  吸気
２１８、２２４  排気
３００ ＨＤＤボックス
３１０ ディスクドライブ
３３０  抵抗板
４１０ 電動ファン
５００ 電動ファン
６００ ＤＣ電源
７００ ＡＣボックス
８００ バッテリ
【図１】
2008047249.tif 000003
【図２】
2008047249.tif 000004
【図３】
2008047249.tif 000005
【図４】
2008047249.tif 000006
【図５】
2008047249.tif 000007
【図６】
2008047249.tif 000008
【図７】
2008047249.tif 000009
【図８】
2008047249.tif 000010
【図９】
2008047249.tif 000011